(57)【要約】      （修正有）【課題】階段ブロックを使用して構築された階段設備の清掃作業性を容易ならしめると共に、清掃汚水が、構築された各階段ブロック相互の隙間から浸透漏水して階段設備背後を汚損することがないようにした階段ブロックを提供する。【解決手段】階段の構築時に水平に配置される踏み面２と、該踏み面前縁部３の上面で階段横幅方向に沿って延設形成された複数条の滑り止め溝８と、前記踏み面の前縁部から下方へ向かって形成された蹴上げ壁とから側端面略横Ｌ字形の階段ブロックを構成する。さらに、前記踏み面の後縁部５上で、階段ブロック横幅全長に亘って形成される起立壁６を前記踏み面と一体に形成する。また、その階段ブロックに起立形成された起立壁６の前面と踏み面との間を、起立壁の上から下へ向かって蹴上げ壁４の方向へ湾曲する曲面または斜面で連続形成して階段ブロックを構成する。【選択図】図１
0003166210.tif 000002
【実用新案登録請求の範囲】
【請求項１】
階段の構築時に水平に配置される踏み面と、該踏み面前縁部上面で階段ブロック横幅方向に沿って延設形成された複数条の滑り止め溝と、前記踏み面の前縁部から下方へ向かって形成された蹴上げ壁とからなる側端面略横Ｌ字形の階段ブロックにおいて、前記踏み面の後縁部上で、階段ブロック横幅全長に亘って横長で形成される起立壁を前記踏み面と一体に形成してなることを特徴とする階段ブロック。
【請求項２】
請求項１に記載の階段ブロックに加え、その階段ブロックに起立形成された起立壁の前面と踏み面との間が、起立壁の上から下へ向かって蹴上げ壁方向へ湾曲する曲面で連続形成していることを特徴とする階段ブロック
【請求項３】
請求項１に記載の階段ブロックに加え、その階段ブロックに起立形成された起立壁の前面と踏み面との間が、起立壁の上から下へ向かって蹴上げ壁方向へ傾斜する傾斜面で連続形成していることを特徴とする階段ブロック
【考案の詳細な説明】
【技術分野】
【０００１】
本考案は、例えばビル、催し会場等の建造物の屋内外に構築される階段、または駅舎、プラットホーム等の階段を構築する時、さらにはそれら階段の改修時に使用するに有利な階段ブロックの構造であって、特にこの階段ブロックを使用して構築された階段設備の清掃作業性を容易ならしめると共に、その清掃作業時に使用する清掃水や清掃時に生じた清掃汚水が、構築された各階段ブロック相互の隙間から浸透漏水して階段設備背後を汚損することがないように考案した階段ブロックの構造に関するものである。
【背景技術】
【０００２】
本出願人は、駅舎、プラットホーム、ビルの屋内外等の階段を構築するに適した階段ブロック及びその製造方法について長年の研究を重ね、例えば御影石の砕石とセメントとを混和したコンクリート原料を使用して、側面が略横Ｌ字形状と成す階段ブロックを遠心成形法を用い形成する階段ブロック及びその製造方法を開示しており、さらにはその遠心成形法を応用して階段ブロックの踏み面のみに、あるいは同ブロックの蹴上げ面のみに、またはその階段ブロックの踏み面と蹴上げ面の双方の面それぞれに、天然石板を貼着せしめてなる階段ブロック及びその製造等についても多数の出願を済ませている（特許文献１〜３）。
【先行技術文献】
【特許文献】
【０００３】
【特許文献１】特開昭６１−５９０２号公報
【特許文献２】特開平１−３６４０２号公報
【特許文献３】特開平１−１９８３０２号公報
【０００４】
上記の各出願明細書で開示している階段ブロックの基本的形状は、例えば図５に示しているように、階段の構築時に水平に位置され、かつその前縁部に滑り止めとなる複数条の溝Ａを設けた踏み面Ｂと、この踏み面Ｂの前縁より下方へ延びる蹴上げ壁Ｃを一体形成してなる側面略横Ｌ字形状の階段ブロックＤであって、これまでに開発してきた階段ブロックの踏み面Ｂは、複数条の溝Ａを除きその全面が平坦面に形成されているのが基本構造であった。
【０００５】
そして、この階段ブロックＤの多数個を用いて階段を構築するには、図６で示すように一段目の階段ブロックＤ１の踏み面後縁部ｂ１上に沿って、二段目の階段ブロックＤ２の蹴上げ壁下面ｃ２を重ね合わせるごとくして位置させ、さらには、その後縁部ｂ１と蹴上げ壁下面ｃ２との隙間内に適宜コーキング材Ｅを介在させてそれら階段ブロックを結合する。以下同様にして二段目の階段ブロックＤ２の踏み面後縁部ｂ２上に三段目の階段ブロックＤ３の蹴上げ壁下面ｃ３を結合する手順を繰り返しながら、目的とする階段設備を構築するものである。
【０００６】
このようにして構築された階段設備、特に例えば駅舎、プラットホーム等の人々の往来が激しい場所や鉄道車両の往来による振動を受け易い場所等に設備される階段にあっては、その長期に亘る経年や、繰り返し受ける振動等によって上記コーキング材Ｅの特性が劣化してコーキング作用が喪失したり、あるいは各階段ブロック接合部分の相互隙間、即ち各階段ブロックの踏み面とこれに対応する階段ブロックの蹴上げ壁下面との隙間寸法が変化するなどのことが原因で、構築されている上下の階段ブロック間に隙間ができてしまうという不具合が生じることがある。
【０００７】
このように、階段ブロックを使用して構築している階段設備において、上記のコーキング材特性の劣化や繰り返される振動等により、各階段ブロックの結合部に隙間などが生じると、例えばその階段設備の清掃作業時、特に清掃水を使用する踏み面及び蹴上げ面の清掃作業時においは、その清掃水清掃汚水が各階段ブロック相互間に生じている隙間から階段設備の裏側に浸透または流出するなどの水漏れを生じることがある。
【０００８】
これらの水漏れが原因で、例えば階段設備の裏側に設備されている部屋や電気設備室内に清掃汚水が浸入して、それらの部屋内を汚損させてしまうことや、階段設備裏側の部屋に電気機器の設備がある場合は電気機器に障害を与えたり電気回路の短絡事故を招くなどの問題点が生じる。
【０００９】
また上記の階段ブロックを使用する階段設備では、各階段ブロックの踏み面Ｂと、それに対応する階段ブロックの蹴上げ面Ｃとで成す角αが鋭角となっているために、この角部及び各踏み面後縁部と対応する蹴上げ壁下面との間に生じている隙間内に入り込んだ土砂、塵埃等の除去作業（清掃）がしづらく清掃作業の妨げに成っているという問題点もあった。
【考案の概要】
【考案が解決しようとする課題】
【００１０】
本考案は、上記の課題を解決すべく成されたもので、その第一の目的は、階段ブロックを使用して構築した階段設備において、仮にその階段設備の経年が原因で、各階段ブロックを結合支持するコーキング材のコーキング特性が劣化したり、あるいは対設される各階段ブロックの結合部分相互に隙間が生じたりしても、清掃作業時に使用している清掃水やその汚水が階段設備の裏側に漏水することが未然に防止できる階段ブロックの提供にある。
【００１１】
さらに本考案の第二の目的は、階段ブロックを使用して構築した階段設備の清掃の作業性とその容易性を可能ならしめ、清掃作業者の作業負担を軽減し清掃作業効率を向上できる構造と成した階段ブロックの提供である。
【課題を解決するための手段】
【００１２】
そこで、本考案の請求項１では、階段の構築時に水平に配置される踏み面と、該踏み面前縁部上面で階段横幅方向に沿って延設形成された複数条の滑り止め溝と、前記踏み面の前縁部から下方へ向かって形成された蹴上げ壁とからなる側端面略横Ｌ字形の階段ブロックにおいて、前記踏み面の後縁部上で、階段ブロック横幅全長に亘って形成される起立壁を前記踏み面と一体に形成してなる階段ブロックであることを特徴としている。
【００１３】
従って、この考案の階段ブロックによれば、その踏み面の後縁部で階段ブロック横幅全長に亘って形成される起立壁を前記踏み面と一体に形成したので、この階段ブロック多数個を使用して階段設備を構築したとき、前記の起立壁が例えば、階段設備踏み面の水洗い清掃時において使用される清掃水の堰堤の役目をなし、その結果踏み面に流された清掃水等が階段ブロックの背後に漏出されるような不具合が未然に防止できる。つまり起立壁を設けた各階段ブロックを使用して階段設備を構築すれば、その階段設備の踏み面に清掃水を流したりしても、その清掃水や清掃汚水が構築された階段の各階段ブロック相互の接合部（隙間）より階段裏側へと漏出するような問題点が解消される。
【００１４】
また本考案の請求項２では、請求項１に記載の階段ブロックに加え、その階段ブロックに起立形成された起立壁の前面と踏み面との間が、起立壁の上から下へ向かって蹴上げ壁方向へ湾曲する曲面で連続形成している階段ブロックであることを特徴としている。
【００１５】
さらに本考案の請求項３では、請求項１に記載の階段ブロックに加え、その階段ブロックに起立形成された起立壁の前面と踏み面との間が、起立壁の上から下へ向かって蹴上げ壁方向へ傾斜する傾斜面で連続形成している階段ブロックであることを特徴としている。
【００１６】
従って、この請求項２，請求項３に記載の階段ブロックによれば、起立壁の前面と踏み面との間に角がなく、また角が有ったとしてもその角は鈍角であるために、その起立壁の前面と踏み面との間に存在する塵埃や汚水の排出が容易となり階段設備の清掃作業性が向上する。
【考案の効果】
【００１７】
本考案の階段ブロックを使用する階段設備によれば、階段の踏み面後縁部上に起立壁を一体形成しているので、例えば階段設備の踏み面水洗作業時に使用した清掃水分は各起立壁により堰き止められる。
【００１８】
そのために前記の清掃水分が各階段ブロックの背後へ漏出するなどのことが皆無となり、階段設備背後の水分汚損や、電気回路の漏電、電気機器の汚損等の不具合を未然に防止できるという効果がある。
【００１９】
また、請求項２または３に記載の階段ブロックを使用する階段設備によれば、各階段ブロックの踏み面と、起立壁の前面との間を曲面あるいは傾斜面で連続形成していることから階段面において鋭角部分がなくなり、階段設備の清掃作業がきわめて容易に実施できるという効果がある。
【図面の簡単な説明】
【００２０】
【図１】本考案の第一実施例である階段ブロックの側面図である。
【図２】図１に示す階段ブロックを使用する階段構築時の側面説明図である。
【図３】図１に示す階段ブロックを使用する階段構築時の斜面説明図である。
【図４】本考案の第二実施例である階段ブロックの側面図である。
【図５】従来の階段ブロックの斜視図である。
【図６】従来の階段ブロックによる構築状態を示した説明斜視図である。
【考案を実施するための形態】
【００２１】
建物の階段、または駅舎、プラットホーム等の階段を構築する階段ブロックの踏み面後縁部上に、該階段ブロックの横幅全長に亘って形成される起立壁を前記踏み面と一体に形成する。さらには、その踏み面と起立壁の前面との間を、起立壁の上から下へ向かって蹴上げ壁方向へ湾曲する曲面、または傾斜する傾斜面で連続形成する。
【実施例１】
【００２２】
以下に本考案の実施例１を、図１、図２、図３に基づいて詳細に説明する。図１は、本実施例である階段ブロックの端面図であり、図２はその階段ブロックを使用して構築される階段設備の部分説明図、図３は構築された階段設備の部分斜視図である。
【００２３】
先ず、本実施例１の階段ブロックの構造を図１に基づいて説明する。この階段ブロック１は、本出願人が既に開発をしている遠心成形装置を用いて製作される階段ブロックであって、この階段ブロック１は踏み面２と、この踏み面２の前縁部３から下方へ延設される蹴上げ壁４を有し、さらに前記踏み面２の後縁部５には、この後縁部５の上方に突設し、かつ階段ブロック横幅Ｗの全長に亘る長さの起立壁６を前記踏み面２と一体に形成する。
【００２４】
さらに、本実施例１では、踏み面後縁部上から起立形成されている起立壁６の前面７と前記踏み面２とが交わる部分を、起立壁の上から下へ向かって蹴上げ壁方向へ湾曲する曲面Ｒ（円弧）で連続形成したものである。
【００２５】
因みに本実施例では、その起立壁６の高さＨ、即ち踏み面２から起立壁上面１０までの高さを３０ｍｍとし、また前記曲面Ｒの曲率半径を１５ｍｍとして実施した。しかし上記の寸法はこれに限るものではなくその近似値でも良い。
【００２６】
図１〜図３の本実施例１で示す各図面には、階段ブロック１の踏み面前縁部３上に設ける滑り止め溝８の構造は、階段の横幅Ｗの全長に亘って凹設する複数条の滑り止め溝８を予め凹設加工した、例えば黒御影石などの天然石から成る段鼻石９を、その階段ブロックの遠心成形時にインサート成形することで、滑り止め溝８を有する階段ブロック１を成形したものであることを示しているが、階段ブロック１に滑り止め溝８を設ける手段としては、上記の段鼻石９をインサート成形するものに限るものではなく、例えば図５の従来例で示している階段ブロックのように、遠心成形する階段ブロックの踏み面に滑り止め溝を直接成型することができる型枠を用いて、段鼻石を用いないで遠心成形した階段ブロックであっても良い。
【００２７】
何れにしても、本考案ではこの滑り止め溝８を設けるか否かは要旨でないのでこれ以上の説明は省略する。
【００２８】
以上が本実施例１による階段ブロック１の構造であるが、この階段ブロック１の多数個を使用して例えば駅舎等における階段を構築するときは、図２で示すように一段目に設置固定した階段ブロック１Ａの起立壁６の上面に適宜のコーキング材１１を介在して二段目の階段ブロック１Ｂの蹴上げ壁４の下面を突合せ二段目の階段ブロック１Ｂを固定する。以下同様にして二段目の階段ブロック１Ｂの起立壁上面にコーキング材を介在して三段目の階段ブロック１Ｃの蹴上げ壁の下面を突合せながら固定する作業を順次行って所望の高さの階段設備を構築する（図３の斜視図参照）。
【００２９】
以上の説明で明らかなように、本実施例に記載の階段ブロック１は、その各階段ブロックの踏み面後縁部５の上に、階段ブロック横幅Ｗの全長に亘って長い起立壁６を前記踏み面２と一体に形成しているので、この階段ブロック１を用いた階段設備において、その階段設備の清掃作業時にその踏み面２上に大量の清掃水をかけながら洗浄しても、堰堤としての作用をなす起立壁６を設けていることで、清掃作業時の清掃水や汚水が、上下につき合わされた各階段ブロック相互の隙間、つまり起立壁６と蹴上げ壁４との間で生じている隙間から階段設備外部へ漏出するといった不具合が未然に防止できる。
【００３０】
さらに本実施例に記載の階段ブロック１には、その階段ブロックの踏み面２と起立壁６の前面７との間を、起立壁の上から下へ向かって蹴上げ壁方向へ湾曲する曲面Ｒで連続形成していることから、従来のような踏み面と蹴上げ壁の間でできる鋭角面がなく、そのために踏み面２と、起立壁６の前面７とで成すコーナー部に土砂、塵埃などが溜まり難く、階段の清潔感が保たれると共にそのコーナー部の清掃作業がきわめて容易である。
【実施例２】
【００３１】
図４に示している本考案の実施例２は、踏み面後縁部から起立形成されている起立壁６の前面７と前記踏み面２とが交わる部分を、起立壁の上から下へ向かって蹴上げ壁方向へ傾斜する傾斜面１２で連続形成したものである。
【００３２】
因みに本実施例２では、その起立壁６の高さＨ、即ち踏み面２から起立壁上面１０までの高さを３０ｍｍとし、さらにその起立壁前面において、その起立壁面７の高さ方向略２分の１の位置から蹴上げ壁方向へ傾斜する傾斜面１２を形成したものである。
【００３３】
なお、この傾斜面の角度は、この実施例では略４５度にすることが望ましいが、これに限るものではなくその近似値でも良い。
【００３４】
この実施例２で示すように、階段ブロックの踏み面２と起立壁６の前面７との間を、起立壁の上から下へ向かって蹴上げ壁方向へ傾斜する傾斜面１２で連続形成していることから、従来のような踏み面と蹴上げ壁の間でできる鋭角面がなく、そのために前記実施例１同様に、踏み面２と、起立壁６の前面７とで成すコーナー部に土砂、塵埃などが溜まり難く、階段の清潔感が保たれると共にそのコーナー部の清掃作業がきわめて容易である。
【産業上の利用可能性】
【００３５】
本考案の階段ブロックは、ビル、催し会場等の屋内及び屋外に構築する階段設備、または駅舎、プラットホームで構築される階段設備の施工に有利であり、特に構築された後の階段設備の洗浄作業を容易に実施することが可能であると共に、その階段設備の清潔感が維持できる。
【符号の説明】
【００３６】
１，１Ａ，１Ｂ，１Ｃ    階段ブロック
２    踏み面
３    踏み面前縁部
４    蹴上げ壁
５    踏み面後縁部
６    起立壁
７    起立壁前面
８    滑り止め溝
９    段鼻石
１０  起立壁上面
１１  コーキング材
１２  傾斜面
Ｒ    曲面
Ｈ    起立壁の高さ
Ｗ    階段ブロック横幅
【図１】
0003166210.tif 000003
【図２】
0003166210.tif 000004
【図３】
0003166210.tif 000005
【図４】
0003166210.tif 000006
【図５】
0003166210.tif 000007
【図６】
0003166210.tif 000008